(57)【要約】【課題】通話時での周囲への音漏れを低減する。【解決手段】通話装置において、声帯の振動を伴わないつぶやきの体内伝導音を含む非可聴つぶやき音を採取する音声入力部と、前記音声入力部により得られる音声信号を送信する送信部と、外部からの音声信号を受信する受信部と、前記受信部により得られた音声信号を骨伝導により出力する骨伝導出力部とを有することにより、上記課題を解決する。【選択図】図２
2014143582.tif 000002
【特許請求の範囲】
【請求項１】
声帯の振動を伴わないつぶやきの体内伝導音を含む非可聴つぶやき音を採取する音声入力部と、
前記音声入力部により得られる音声信号を送信する送信部と、
外部からの音声信号を受信する受信部と、
前記受信部により得られた音声信号を骨伝導により出力する骨伝導出力部とを有することを特徴とする通話装置。
【請求項２】
前記音声入力部により得られる非可聴つぶやき音の認識率を高める信号処理を行う信号処理部を有することを特徴とする請求項１に記載の通話装置。
【請求項３】
使用者の口の一部又は全体を覆うマスクを有することを特徴とする請求項１又は２に記載の通話装置。
【請求項４】
前記骨伝導出力部は、
イヤホン形状を有するか、又は、使用者の所定位置に前記骨伝導出力部を装着させるための耳掛け部を有することを特徴とする請求項１乃至３の何れか１項に記載の通話装置。
【請求項５】
前記骨伝導出力部は、着脱自在に構成されていることを特徴とする請求項１乃至４の何れか１項に記載の通話装置。
【請求項６】
番組収録中のスタジオ内で用いられることを特徴とする請求項１乃至５の何れか１項に記載の通話装置。
【発明の詳細な説明】
【技術分野】
【０００１】
本発明は、通話装置に係り、特に通話時での周囲への音漏れを低減させる通話装置に関する。
【背景技術】
【０００２】
従来、放送局のスタジオ内において番組を収録する場合に、スタッフ間での通話を実現するために、インカム（Ｉｎｔｅｒ−ｃｏｍｍｕｎｉｃａｔｉｏｎ）等の相互通信式構内電話が用いられる（例えば、特許文献１参照）。インカムは、ヘッドホンのように使用者の頭部に装着できるため、手が自由な状態で通常音声による通話が可能となる。
【先行技術文献】
【特許文献】
【０００３】
【特許文献１】特開平１０−２６２１６２号公報
【発明の概要】
【発明が解決しようとする課題】
【０００４】
しかしながら、インカム等を使用した場合には、通常の会話と同様に声を発する必要があるため周囲へ声が拡散する。その結果、収録中のスタジオ内において、スタッフが通話している声が放送用の集音マイクに混入してしまう。また、インカムは、スピーカからの音が外部に漏れないように使用者の一方の耳或いは両耳を直接塞ぐように装着される。そのため、通話中では周囲（特に、耳を塞がれた方向）の音に気を配れず、周囲の状況等を把握できないといった問題がある。この問題の本質は、声を空気中に発するという行為及び空気中の音を受聴するという行為自体に起因している。
【０００５】
本発明は、かかる問題を鑑み、通話時での周囲への音漏れを低減させる通話装置を提供することを目的とする。
【課題を解決するための手段】
【０００６】
上記課題を解決するために、本件発明は、以下の特徴を有する課題を解決するための手段を採用している。
【０００７】
一態様における通話装置は、声帯の振動を伴わないつぶやきの体内伝導音を含む非可聴つぶやき音を採取する音声入力部と、前記音声入力部により得られる音声信号を送信する送信部と、外部からの音声信号を受信する受信部と、前記受信部により得られた音声信号を骨伝導により出力する骨伝導出力部とを有することを特徴とする。
【発明の効果】
【０００８】
本発明によれば、通話時での周囲への音漏れを低減させることができる。
【図面の簡単な説明】
【０００９】
【図１】通話システムの概略構成の一例を示す図である。
【図２】通話装置の機能構成の一例を示す図である。
【図３】ＮＡＭマイクによる音声入力の概略例を示す図である。
【図４】信号処理部における処理の具体例を説明するための図である。
【図５】通話装置の具体例及び装着例を示す図（その１）である。
【図６】通話装置の具体例及び装着例を示す図（その２）である。
【図７】通話装置の具体例及び装着例を示す図（その３）である。
【図８】通話装置の具体例及び装着例を示す図（その４）である。
【図９】通話装置の具体例及び装着例を示す図（その５）である。
【図１０】通話装置の他の具体例を示す図である。
【発明を実施するための形態】
【００１０】
＜本発明について＞
本発明における通話装置は、サイレント音声インタフェースを実現する。サイレント音声インタフェースとは、声を周囲に漏らさずに通話する手法であり、例えばテレパシーの如く話し手と聞き手の間のみで意思伝達を可能とする。したがって、例えば話し手側が周囲に聞こえないようにぼそぼそと話したとしても、聞き手側には、自然な声が聞こえるような仕組みを提供する。
【００１１】
具体的には、通話装置における音声送信側では、サイレント音声インタフェースの一例として、非可聴つぶやき音（Ｎｏｎ−Ａｕｄｉｂｌｅ  Ｍｕｒｍｕｒ：ＮＡＭ）等の体内伝導音声技術を利用する。通常、人が話すとき、人間の声は、声帯を振動させて発生する音を基本としている。非可聴つぶやきは、例えば声帯の振動を伴わない呼気に伴い口を動かすだけの行為であり、非可聴つぶやき音は、第三者に聴取不能な、声帯の振動を伴わないつぶやきの体内伝導音を含む。この体内を伝導した音を収音するのがＮＡＭマイクロホン（以下、「ＮＡＭマイク」という）である。
【００１２】
非可聴つぶやき音は、空気を媒体とせず、体内の振動を用いることによって外界に音を漏らさずに連絡音声を発することが期待できる。骨伝導に似ているが、これは骨を媒体にするのではなく、人体の肉を音声伝達媒体にする"肉伝導"である。
【００１３】
つまり、本発明では、使用者の非常に小さなささやき声での発声を採取するためにＮＡＭマイクを用いることで体内伝導音声として収録する。これにより、周囲への音漏れを極力減らした発声が可能となり、遮音性の高いマスク等で口を覆っていても発声が可能となる。したがって、本発明では、使用者の口の一部又は全部を覆うマスクを併用してもよい。
【００１４】
また、本発明では、ＮＡＭマイクにより収録された音声に対して、必要に応じてリアルタイムに体内伝導音声強調処理を行うことで、統計的信号処理による音声の明瞭性や自然性等の品質を改善してもよい。
【００１５】
更に、通話装置における音声受信側では、サイレント音声インタフェースの一例として、骨伝導スピーカを用いて使用者に受聴させる。これにより、耳を塞ぐことなく通話音声の受聴が可能となるため、周囲の音も同時に受聴することができる。これにより、音声を発する側、受ける側で共に空気を振動させずに周囲に音の漏れにくい通話を実現する。以下に、通話装置を好適に実施した形態について、図面を用いて詳細に説明する。
【００１６】
＜通話システムの概略構成例＞
図１は、通話システムの概略構成の一例を示す図である。図１では、一例として放送局内で使用される通話システム１０を示している。通話システム１０は、通話装置１１と、副調整室１２とを有し、通話装置１１と副調整室１２とは、無線や有線等を用いたＬＡＮ（Ｌｏｃａｌ  Ａｒｅａ  Ｎｅｔｗｏｒｋ）やインターネット等の通信ネットワーク１３によりデータの送受信が可能な状態で接続されている。
【００１７】
通話装置１１は、例えば番組等が収録されるスタジオ１４内で番組を撮影するカメラマンやアシスタントディレクタ（ＡＤ）、音声担当者、照明担当者等のスタッフが使用する装置であり、例えば副調整室１２にいるプロデューサや、スタジオ１４内の他のスタッフ等との通話を行うインカムとしての機能を有する。
【００１８】
なお、図１に示す通話システム１０の例では、３台の通話装置１１−１〜１１−３を示しているが、数についてはこれに限定されるものではなく、少なくとも１台の通話装置１１を有していればよい。また、通話システム１０では、どの通話装置１１を、どの使用者が使用しているかが管理されており、設定される１又は複数の使用者に対して通話を行うことができる。
【００１９】
ここで、図１に示す通話装置１１は、ＮＡＭマイク２１と、骨伝導スピーカ２２と、バンド部２３と、保護部２４とを有する。ＮＡＭマイク２１は、上述したように、使用者の非常に小さなささやき音（例えば、非可聴つぶやき音）等での発声を採取する。なお、ＮＡＭマイク２１は、空中を伝播する音響に対する耐ノイズ性が高い。
【００２０】
骨伝導スピーカ２２は、通信ネットワーク１３を介して受信した音声信号に基づく振動を使用者の体内（骨）に出力し、例えば頭蓋骨等を伝わり直接聴覚神経に音を伝達する。なお、本実施形態における骨電導の方式としては、圧電素子方式、超磁歪素子方式、コイル素子方式等の各種方式を用いることができるが、これに限定されるものではない。ＮＡＭマイク２１や、骨伝導スピーカ２２を有することで、通話時における周囲への音漏れを低減することができる。
【００２１】
バンド部２３は、通話装置１１本体を使用者の頭や首に挟んで保持するものである。バンド部２３は、例えば図１に示すように半円型に形成されており半円部分は所定の弾力を有する。この半円部分を使用者の頭や首に嵌め込むことで所定の位置に保持させることができる。このとき、上述したＮＡＭマイク２１や、骨伝導スピーカ２２が使用者に接触した状態で保持されるのが好ましいが、これに限定されるものではない。
【００２２】
なお、バンド部２３は、使用者の頭や首の大きさに応じて、上述した半円に対する大きさや直径幅、バンド部２３に取り付けられたＮＡＭマイク２１や保護部２４の位置等を調整することができる調整機構を有する。バンド部２３により通話装置１１が着脱可能に装着されるため、使用者の手の自由は確保される。
【００２３】
また、図１に示す通話装置１１では、使用者の頭や首等に通話装置１１を挟んだときに痛くなることがないように、所定の弾力を有する保護部２４を有していてもよい。なお、保護部２４としては、例えばゴムやスポンジ、柔らかい樹脂等の弾性体等や、布、綿等の柔らかい素材等を用いることができるが、これに限定されるものではなく、例えば使用者の皮膚との接触部が面取りされた滑らかな曲面状に形成されたものでもよい。これにより、皮膚に対する当たりがソフトになる。
【００２４】
また、本実施形態における通信装置１１は、図１に示すＮＡＭマイク２１と保護部２４とでは、頭を挟み込むことで、通話装置１１を保持してもよく、また、耳掛け部を設けて、その耳掛け部を耳に掛けることで、保持してもよい。
【００２５】
副調整室１２は、テレビ、ラジオ等の放送局における各種スタジオ１４に設けられる機器類を操作するための操作室のうち、放送を送出する「主調整室」と放送用の回線が接続され、番組制作用機器を操作して音声、映像等を調整するための操作室である。
【００２６】
副調整室１２では、スタジオ１４内の各カメラから送られてくる映像、各マイクロホンから送られてくる音声の視聴等を行う。また、副調整室１２は、スタジオ１４にいるフロアディレクタ、各カメラマン、ＡＤ、音声担当者、照明担当者等のスタッフから通話装置１１を介した音声信号により報告を受けてスタジオ１４の状況を判断する。
【００２７】
副調整室１２では、プロデューサ等からスタジオ１４内の所定の使用者が使用する通話装置１１に対して指示等の音声信号を出力する。副調整室１２は、スタジオ１４の外部にあるため、本実施形態に示すような通話装置１１を用いずに、例えば通常のマイクやスピーカ等を用いてもよい。
【００２８】
なお、図１に示す通話システム１０において、通話装置１１は、副調整室１２との通話だけでなく、通話装置１１同士で通話することもできる。この場合、例えばトランシーバ等のように周波数（チャンネル）の切り換えにより所定の通話装置１１に対してのみ通話を行うことができる。
【００２９】
＜通話装置１１の機能構成例＞
次に、上述した通話装置１１の機能構成例について、図を用いて説明する。なお、以下の説明では、上述した構成と略同様の機能を有する構成については同一の符号を付するものとし、ここでの具体的な説明は省略する。図２は、通話装置の機能構成の一例を示す図である。図２に示す通話装置１１は、音声入力部の一例としてのＮＡＭマイク２１と、骨伝導出力部の一例としての骨伝導スピーカ２２と、信号処理部３１と、送信部３２と、受信部３３と、信号変換部３４とを有する。
【００３０】
ＮＡＭマイク２１は、上述したように使用者の非可聴つぶやき音等を採取して音声入力し、入力した音声信号を信号処理部３１に出力する。なお、本実施形態では、ＮＡＭマイク２１から得られる信号に対してアンプ（増幅部）等を用いて所定の大きさまで増幅させてもよい。
【００３１】
信号処理部３１は、ＮＡＭマイクから得られる音声信号に対して聞き手側での認識率を高めるための信号処理を行う。信号処理部３１における具体的な処理内容については後述する。信号処理部３１により処理された信号は、送信部３２に送信される。なお、本実施形態では、ＮＡＭマイク２１から得られる音声信号に対して信号処理部３１における処理を行わなくてもよい。信号処理部３１による処理を行うか否かは、例えば予め使用者が設定していてもよく、またＮＡＭマイク２１により入力された音の大きさや周波数特性等から認識率が低いと推測される場合に信号処理部３１による処理を行うように設定してもよい。
【００３２】
送信部３２は、信号処理部３１又はＮＡＭマイク２１から直接得られる音声信号を、所定の送信先（例えば、副調整室１２や他の通話装置１１等）に送信する。なお、送信部３２は、予め設定された１又は複数の送信先に音声信号を送信してもよく、またどの送信先に送信するかを選択する選択部を設け、その選択部により選択された送信先へ音声信号を送信してもよい。
【００３３】
受信部３３は、所定の受信先（例えば、副調整室１２や他の通話装置１１等）からの音声信号を受信する。なお、受信部３３は、予め設定された受信先からの音声信号を受信してもよく、またどの受信先から受信するかを選択する選択部を設け、その選択部により選択された受信先から音声信号を受信してもよい。
【００３４】
信号変換部３４は、受信部３３により受信した音声信号を、使用者の骨に伝導させる振動信号に変換する。なお、信号の変換は、例えば骨伝導スピーカ２２における骨伝導の方式等に対応させて変換されることが好ましいが、これに限定されるものではない。
【００３５】
＜ＮＡＭマイク２１について＞
ここで、上述したＮＡＭマイク２１については、例えば特許第３７６０１７３号公報や特許第４７０２７９５号公報等に記載された手法を用いることができる。図３は、ＮＡＭマイクによる音声入力の概略例を示す図である。
【００３６】
本実施形態における通話装置１１は、図３に示すようにバンド部２３の両端にあるＮＡＭマイク２１と保護部２４とで首や頭を挟むように装着され、ＮＡＭマイク２１から非可聴ささやき音声の信号を採取する。ＮＡＭマイク２１は、例えば声帯の規則振動を伴わない音声であり、外部からは非可聴な体内軟部組織を伝導（肉伝導）する振動音（呼吸音）を採取するマイク（肉伝導マイク）である。
【００３７】
具体的には、ＮＡＭマイク２１は、軟シリコン部５１と、振動センサ５２と、電極５３と、遮音カバー５４とを有する。軟シリコン部５１は、使用者４０の皮膚に接する軟性部材（例えば、シリコン部材等）であり、使用者４０の声道内で空気振動として発生した後に皮膚を伝導（肉伝導）する振動を、振動センサ５２に出力する。なお、声道とは、例えば図３に示すように、声帯よりも呼吸の吐き出し方向下流側の気道部分（口腔や鼻腔を含み、唇に至るまでの部分）である。
【００３８】
振動センサ５２は、軟シリコン部５１に接触し、軟シリコン部５１の振動を電気信号に変換する。振動センサ５２により得られる電気信号は、電極５３を通じて外部に出力される。
【００３９】
遮音カバー５４は、軟シリコン部５１が接触する皮膚以外の周囲の空気を通じて伝搬される振動が、軟シリコン部５１や振動センサ５２に伝わることを防止する防音材である。
【００４０】
なお、ＮＡＭマイク２１は、例えば図３に示すように使用者４０の耳介の下方部における頭蓋骨の乳様突起直下の、胸鎖乳頭筋上の皮膚表面に接触するように装着される。これにより、声道で発生した振動（すなわち、非可聴つぶやき音声の振動）が、話者における骨が存在しない部分（肉部分）を通って軟シリコン部５１までほぼ最短で伝搬される。なお、ＮＡＭマイク２１の装着位置については、これに限定されるものではなく、例えば声道付近又は声帯付近であってもよい。
【００４１】
＜信号処理部３１における処理の具体例＞
次に、上述した信号処理部３１における処理の具体例について図を用いて説明する。図４は、信号処理部における処理の具体例を説明するための図である。本実施形態では、非可聴つぶやき音等のリアルタイム体内伝導音声が、聞き手側で認識し易くなるように品質を改善するため、統計的信号処理による変換モデルを用いた音声強調処理を行う。
【００４２】
具体的には、図４に示すように、予め設定された複数（例えば、５０以上）の同じ内容の文を、ＮＡＭマイク２１を用いた肉伝導音声と、口から発する通常の音声（自然音声）とで取得し、肉伝導音声と自然音声の同一発話データを用いて学習し、変換モデルを生成する。具体的には、肉伝導音声及び自然音声の各々において、数十ミリ秒程度の時間フレームで区切られた区間単位にスペクトル特徴量を抽出し、抽出されたスペクトル特徴量に基づいて、その区間の対応関係を学習することで、肉伝導音声から自然音声へ変換するための変換モデルを生成する。
【００４３】
信号処理部３１は、ＮＡＭマイク２１から得られる音声に対して、上述した変換モデルを用いることで、肉伝導音声を自然音声へと変換可能となる。このように信号処理部３１における処理により、聞き手側（音声受信側）での音声の認識率を向上することができる。
【００４４】
なお、変換モデルの生成方法としては、例えば特許第４９４０４１４号公報に記載の手法を用いることができるが、これに限定されるものではなく他の手法を用いてもよい。特許第４９４０４１４号公報の手法では、非可聴音声の学習用入力信号とマイクロホンにより収録された学習用入力信号に対応する可聴ささやき音声の学習用出力信号とのそれぞれについて、所定の特徴量を算出し、その算出結果に基づいて、非可聴音声の信号の特徴量を可聴ささやき音声の信号の特徴量へ変換する声道特徴量変換モデルにおけるモデルパラメータの学習計算を行い、学習後のモデルパラメータを所定の記憶手段に記憶する。次に、入力非可聴音声信号について特徴量を算出し、その算出結果と学習後のモデルパラメータが設定された声道特徴量変換モデルとに基づいて、入力非可聴音声信号に対応する可聴ささやき音声の信号の特徴量を算出し、入力非可聴音声信号に対応する可聴ささやき音声の信号を生成している。
【００４５】
また、本実施形態では、例えばＮＡＭマイク２１により入力された音の大きさや周波数特性等から認識率が低いと推測される場合や、使用者が設定した場合にのみ、信号処理部３１による処理を行い、それ以外の場合には、信号処理部３１による処理を行わなくてもよい。
【００４６】
＜通話装置１１の具体例及び装着例＞
次に、通話装置１１の具体例及び装着例について説明する。図５〜図９は、通話装置の具体例及び装着例を示す図（その１〜その５）である。なお、図５（Ａ）〜図９（Ａ）は、通話装置１１ａ〜１１ｅの具体例を示し、図５（Ｂ）〜図９（Ｂ）は、通話装置１１ａ〜１１ｅの装着例を示している。
【００４７】
図５（Ａ）の例に示す通話装置１１ａは、骨伝導スピーカ２２がイヤホン６１として形成されており、ケーブル６２により通話装置１１ａの他の構成（例えば、ＮＡＭマイク２１等）と接続されている。通話装置１１ａは、図５（Ｂ）に示すように、使用者４０の首にバンド部２３を挟み、バンド部２３の両端部付近にあるＮＡＭマイク２１と保護部材２４とで使用者４０の所定部位（例えば、声帯付近や左右の耳介下部等）を挟み込むことにより、ＮＡＭマイク２１が、所定部位に密着するよう装着される。このように装着することにより、ＮＡＭマイク２１は、主として人体の軟組成を経由して伝播してくる音のみを採取することができるため、周囲の騒音（ノイズ音）が大きい場合であっても、人体がノイズ除去フィルタの機能を果たし、ＳＮ比の高い音声信号を取得することができる。なお、図５の例では、骨伝導スピーカ２２がイヤホン形状になっているため、ヘッドホン形状で耳全体を塞ぐよりも周囲の音が聞こえやすくなる。
【００４８】
また、図６（Ａ）の例では、上述した図５に示す通話装置１１ａと比較すると、通話装置１１ｂの骨伝導スピーカ２２に耳掛け部６３が設けられている。このような構成により、通話装置１１ａは、図６（Ｂ）に示すように、使用者４０の耳に耳掛け部６３を掛けて、耳の前部付近に骨伝導スピーカ２２が接触するように装着する。これにより、両耳が完全に塞がらなくなり、通話しながら周囲の音を適切に把握することができる。
【００４９】
なお、両耳が塞がらない骨伝導スピーカ２２の構成は、上述した図６（Ａ），（Ｂ）に示す耳掛け部６３を有する構成に限定されるものではなく、例えば骨伝導スピーカ２２における使用者４０の皮膚との接触面に、貼り付け自在となる粘着部材や吸盤等を設け、使用者４０の耳の下やこめかみ付近等に密着するように取り付けてもよい。
【００５０】
また、図７（Ａ）の例では、通話装置１１ｃのバンド部２３の両端に耳掛け部６３を設け、各耳掛け部６３に骨伝導スピーカ２２を設けることができる。この場合、バンド部２３及び各耳掛け部６３により通話装置１１ｃを固定することができるため、保護部２４を不要にすることができる。なお、図７に示す通信装置１１ｃにおいて、骨伝導スピーカ２２は、両端の耳掛け部６３に設けているが、これに限定されるものではなく、何れか一方でもよい。
【００５１】
これにより、装着時には、図７（Ｂ）に示すように、ＮＡＭ２１と保護部２４とで強く挟み込む必要がなく、使用者４０の負担を軽減して装着することができる。
【００５２】
また、図８（Ａ）の例では通話装置１１ｄのバンド部２３の端部に着脱自在のマスク６４が設けられている。マスク６４は、マスク本体６４ａと、耳掛け部６４ｂとを有する。マスク本体６４ａは、図８（Ｂ）に示すように、装着時に使用者４０の口の一部又は全部を覆う。マスク本体６４ａは、例えば布状のものでもよく、シート状のものでもよい。また、マスク本体６４ａが口と接する面の一部又は全部に着脱自在のガーゼ等を有していてもよい。また、耳掛け部６４ｂは、ゴム等の弾性体であるが、これに限定されるものではない。
【００５３】
本実施形態では、口を大きく開けて音声を出さなくても通話が可能となるため、マスク６４を付けていても通話が可能となり、更に周囲への音漏れを極力低減することができる。
【００５４】
図９（Ａ）の例では通話装置１１ｅの耳掛け部６４ｂに骨伝導スピーカ２２が設けられている。図９（Ａ）に示す骨伝導スピーカ２２は、耳掛け部６４ｂのどの位置にも着脱自在に取り付けることができる。
【００５５】
図９（Ｂ）に示す装着時には、例えばゴム等の弾性体である耳掛け部６４ｂにより骨伝導スピーカ２２が使用者４０の所定の位置で密着させることができる。そのため、高精度に使用者４０に音声信号（振動）を伝達することができる。なお、図９に示す例の場合には、通話装置１１ｅ本体からマスク６４内部にケーブル等を設けることで他の構成（例えば、受信部３３等）と接続され、骨伝導スピーカ２２に信号を送ることができる。
【００５６】
なお、図９の例では、骨伝導スピーカ２２をマスク６４に設けた例を示したが、本実施形態においてはこれに限定されるものではなく、例えばＮＡＭマイク２１がマスク６４に設けられてもよく、ＮＡＭマイク２１と骨伝導スピーカ２２の両方がマスク６４に設けられてもよい。更に、ＮＡＭマイク２１と骨伝導スピーカ２２の両方ともマスク６４に設けられた場合には、バンド部２３が構成にすることもできる。
【００５７】
なお、上述した図５〜図９に示す例では、バンド部２３で首を挟むネックバンド型の例を示しているが、これに限定されるものではなく、例えば頭部をバンド部２３で挟むヘッドホン型の構成でもよい。本実施形態において、ＮＡＭマイク２１は、耳の後下方部で最も効率良く収音でき、骨伝導スピーカ２２は、鼓膜付近や頭蓋骨付近に設けられる方が効率よく伝達することができるため、インカムシステム等で通話装置１１を用いる場合には、ネックバンド型等が好ましい。
【００５８】
また、上述したＮＡＭマイク２１は、肉伝導マイクに限定されるものではなく、例えば骨伝導マイクや咽喉マイクであってもよい。また、上述したＮＡＭマイク２１及び骨伝導スピーカ２２は、左右の耳に対して設けてもよく、また一方の耳に複数設けてもよい。
【００５９】
また、本実施形態における通話装置１１は、図５〜図９に示すような、上述した各通話装置の構成の一部を組み合わせた構成であってもよい。また、図１０は、通話装置の他の具体例を示す図である。図１０に示す通話装置１１ｆは、図５（Ａ）に示す通話装置１１ａと比較すると、骨伝導スピーカ２２が着脱自在となるように構成されている。
【００６０】
図１０の例では、骨伝導スピーカ２２のイヤホン６１から出たケーブル６２の先端にプラグ（オス端子）６５が設けられており、ＮＡＭマイク２１にはプラグ６５に対応するジャック（メス端子）６６が設けられている。通話装置１１ｆは、ジャック６６にプラグ６５を挿入することで、他の構成と電気的に接続することができ、信号の送受信を行うことができる。
【００６１】
図１０に示す通話装置１１ｆの構成により、例えば図１０に示すイヤホン型の骨伝導スピーカ２２を図６に示すような耳掛け型の骨伝導スピーカ２２に差し換えたり、皮膚に密着して取り付ける骨伝導スピーカ２２に差し換えたり、骨伝導ではない通常のイヤホンに差し換えることができる。更に、ジャック６６に何も挿入しないことで、通話装置１１ｆをＮＡＭマイク２１のみの機能として使用することもできる。なお、図１０の例では、ジャック６６をＮＡＭマイク２１に設けたが、これに限定されるものではなく、例えばバンド部２３や保護部２４に設けてもよい。
【００６２】
また、本実施形態では、周囲の騒音が大きい場合に周囲の音を遮断する目的で、使用者４０の耳を覆う程度の大きさを有するイヤーマフやヘッドホンに対して、上述したＮＡＭマイク２１及び骨伝導スピーカ２２のうちの一方又は両方を埋め込んだ構成にしてもよい。
【００６３】
上述したように本発明によれば、通話時での周囲への音漏れを低減することができる。具体的には、通話装置の音声送信側では、例えばＮＡＭマイク等を用いて体内伝導音声を収録することで、非常に小さなささやき声での通話を可能とする。これにより、発声される声自体の音量を通常の発話よりも劇的に小さくすることができる。更に、本実施形態によれば、使用者の口の一部又は全部を覆うマスクを用いることで、周囲への音漏れを極力低減することができる。
【００６４】
また、統計的音声強調処理を用いることで、ＮＡＭマイクにより収録された音声の明瞭性や自然性を高めることができ、より円滑な通話が可能となる。
【００６５】
また、通話装置の音声受信側では、例えば骨伝導スピーカを用いることで、送られてきた音声を、両耳を塞ぐことなく受聴できるため、受聴中も周囲の音を聴くことが可能となる。
【００６６】
なお、上述した本実施形態における通話装置は、スタジオ内のみに限定されるものではなく、例えば実況放送や現場レポート等の放送業界の各種のシーンに適用することができる。また、放送業界に限らず、例えば人混みの中での通話や秘匿性の高い通話が必要な状況にも適用することができる。
【００６７】
以上、本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００６８】
１０  通話システム
１１  通話装置
１２  副調整室
１３  通信ネットワーク
１４  スタジオ
２１  ＮＡＭマイクロホン（音声入力部）
２２  骨伝導スピーカ（骨伝導出力部）
２３  バンド部
２４  保護部
３１  信号処理部
３２  送信部
３３  受信部
３４  信号変換部
４０  使用者
５１  軟シリコン部
５２  振動センサ
５３  電極
５４  遮音カバー
６１  イヤホン
６２  ケーブル
６３  耳掛け部
６４  マスク
６５  プラグ（オス端子）
６６  ジャック（メス端子）
【図１】
2014143582.tif 000003
【図２】
2014143582.tif 000004
【図３】
2014143582.tif 000005
【図４】
2014143582.tif 000006
【図５】
2014143582.tif 000007
【図６】
2014143582.tif 000008
【図７】
2014143582.tif 000009
【図８】
2014143582.tif 000010
【図９】
2014143582.tif 000011
【図１０】
2014143582.tif 000012